(57)【特許請求の範囲】
【請求項１】
引掛爪を有し、該引掛爪を介して機器が掛着される取付金具を、被着体に穿設した取付穴に固定する取付金具の固定構造であって、
前記取付金具には、前記取付穴の周縁に当接するフランジ片が形成されるとともに、前記被着体側へ螺着するための螺子挿通穴が穿設され、
前記フランジ片は前記引掛爪より後方側に配置されており、前記取付穴に対して前記引掛爪が前記フランジ片よりも前方に配置されて前記機器を掛着可能とし、
前記螺子挿通穴と前記フランジ片との間における該螺子挿通穴近傍には、前記取付金具の面に対し、前記機器側に膨出する凸部が形成されているとともに、螺子頭部の当接する前記螺子挿通穴の周縁は、少なくとも一つの分断部を介し前記面と同一平面となる連続平坦部とされ、該連続平坦部を除いて前記螺子挿通穴を包囲するように前記凸部が形成されており、
前記螺子挿通穴と前記フランジ片との間に前記連続平坦部を位置させず、前記凸部によって前記螺子挿通穴の位置から前記フランジ片までの距離を延長させて、
前記フランジ片と前記螺子挿通穴との間において、前記凸部が変形することで前記螺子挿通穴の締め付け固定の際に、螺子締め付け応力を吸収することを特徴とする取付金具の固定構造。
【請求項２】
前記凸部が前記螺子挿通穴を囲む略Ｃ字形状の膨出部からなり、前記分断部が前記螺子挿通穴から前記フランジ片の方向とは逆方向に位置して前記連続平坦部を形成することを特徴とする請求項１記載の取付金具の固定構造。
【発明の詳細な説明】
【技術分野】
【０００１】
本発明は、引掛爪を有し、この引掛爪を介して機器が掛着される取付金具を、被着体に穿設した取付穴に固定する取付金具の固定構造に関する。
【背景技術】
【０００２】
機器類の被着体への取付け構造には、被着体へ機器が直接固定できない場合、被着体に取付金具を取付け、この取付金具に対して機器を間接的に取り付ける構造が採用されることがある。例えば、防火扉の表裏に二つの機器を一体に取り付ける場合、防火扉に取付穴が形成され、この取付穴の室外側から挿入した室外側機器に、室内側から挿入した室内側機器が固定される。この取付構造の場合、防火扉の室外側から挿入した室外側機器に対して、防火扉の室内側から挿入した取付金具が螺着される。これにより、防火扉の室内側には、螺着された取付金具が取付穴に嵌合された状態で表出される。この取付金具には、取付穴の周縁に当接して取付金具を固定するフランジ片と、室内側機器を掛着するための引掛爪とが設けられている。フランジ片は、取付金具が螺着されることにより、取付穴の周縁に押し当てられる。フランジ片に間隙を有して設けられた引掛爪は、フランジ片より手前に配置され、機器との掛着を可能としている。この引掛爪に上部背面の掛着された機器は、さらに下部が取付金具に螺着されることで、取付金具を介して防火扉の室内側で、室外側機器と一体となって取り付けられることとなる。
【発明の開示】
【発明が解決しようとする課題】
【０００３】
しかしながら、室外側機器に対して、防火扉の室内側の取付穴から挿入した取付金具を螺着する場合、形状的な制約や形成スペースの制約からフランジ片の強度が大きく確保できないと、取付金具を螺子によって室外側機器へ締め付けて行った際、取付金具の螺子挿通穴とフランジ片とに作用する応力が、フランジ片に集中し、フランジ片が変形する場合があった。このような変形では、フランジ片が取付金具の周縁からの反力を受けるため、取付金具全体が取付穴へと沈み込むと同時に、フランジ片が、手前に配置されている引掛爪に接近する方向へと屈曲する。その結果、フランジ片と引掛爪との間隙が小さくなり、機器の掛着が不完全となったり、機器の掛着が不能となったりする問題が発生した。
【０００４】
本発明は上記状況に鑑みてなされたもので、応力集中によるフランジ片の変形が防止される取付金具の固定構造を提供し、もって、フランジ片が引掛爪に接近する方向に変形して、機器の掛着が不完全となったり、不能となったりすることの防止を図ることを目的とする。
【課題を解決するための手段】
【０００５】
次に、上記の課題を解決するための手段を、実施の形態に対応する図面を参照して説明する。
本発明の請求項１記載の取付金具の固定構造は、引掛爪３１ｈを有し、該引掛爪３１ｈを介して機器２１が掛着される取付金具３１を、被着体１００に穿設した取付穴１００ａに固定する取付金具３１の固定構造であって、
前記取付金具３１には、前記取付穴１００ａの周縁１００ｂに当接するフランジ片３１ｋと、前記被着体１００側へ螺着するための螺子挿通穴３１ｇが穿設され、
前記フランジ片３１ｋは前記引掛爪３１ｈより後方側に配置されており、前記取付穴１００ａに対して前記引掛爪３１ｈが前記フランジ片３１ｋよりも前方に配置されて前記機器２１を掛着可能とし、
前記螺子挿通穴３１ｇと前記フランジ片３１ｋとの間における該螺子挿通穴３１ｇ近傍には、前記取付金具３１の面３１ｍに対し、前記機器２１側に膨出する凸部９１が形成されているとともに、螺子頭部の当接する前記螺子挿通穴３１ｇの周縁３１ｐは、少なくとも一つの分断部９３ａ，９３ｂを介し前記面３１ｍと同一平面となる連続平坦部とされ、該連続平坦部を除いて前記螺子挿通穴３１ｇを包囲するように前記凸部９１が形成されており、
前記螺子挿通穴３１ｇと前記フランジ片３１ｋとの間に前記連続平坦部を位置させず、前記凸部９１によって前記螺子挿通穴３１ｇの位置から前記フランジ片３１ｋまでの距離を延長させて、
前記フランジ片３１ｋと前記螺子挿通穴３１ｇとの間において、前記凸部９１が変形することで前記螺子挿通穴３１ｇの締め付け固定の際に、螺子締め付け応力を吸収することを特徴とする。
【０００６】
この取付金具の固定構造では、螺子挿通穴３１ｇに螺子６１が挿通されて、被着体１００側へ取付金具３１が締め付け固定されると、螺子頭部が当接する螺子挿通穴３１ｇの周縁３１ｐと、取付穴１００ａの周縁１００ｂに当接するフランジ片３１ｋとの間の取付金具３１に、締め付け力に伴う応力が発生する。この応力は、構造的に強度の小さいフランジ片３１ｋに集中しようとするが、その前に螺子挿通穴３１ｇの周囲に膨出形成した凸部９１の変形によって吸収され、その結果、フランジ片３１ｋの応力集中による変形が防止される。すなわち、前記凸部９１によって前記螺子挿通穴３１ｇの位置から前記フランジ片３１ｋまでの距離を延長しており、この構造的に強度の小さいフランジ片３１ｋの変形による機器２１の掛着が不完全となることを防止する。また、連続平坦部を有していることで、螺子挿通穴３１ｇの周縁３１ｐに連続する面３１ｍに対する変形を起こさなくなる。
【０００７】
請求項２記載の取付金具の固定構造は、請求項１記載の取付金具の固定構造において、前記凸部９１Ａが前記螺子挿通穴３１ｇを囲む略Ｃ字形状の膨出部９１ｃからなり、前記分断部９３ｃが前記螺子挿通穴３１ｇから前記フランジ片３１ｋの方向とは逆方向に位置して前記連続平坦部を形成することを特徴とする。
【０００８】
この取付金具の固定構造では、螺子頭部の当接する螺子挿通穴３１ｇの周縁３１ｐ部分が、一か所の分断部９３ｃを介して他の取付金具３１の面３１ｍと同一平面となった連続平坦部となる。これにより、螺子挿通穴３１ｇが連続した凸部によって包囲される場合に比べ、すなわち、連続平坦部が無い場合に比べ、面３１ｍに対する変形を起こさない部分を備え、かつ、螺子頭部からの締め付け力が加わったときの凸部９１Ａでの変形が生じ易くなる。特に連続平坦部の方向がフランジ片３１ｋの方向とは反対の方向であり、凸部９１Ａが変形となる。
【発明の効果】
【０００９】
本発明に係る請求項１記載の取付金具の固定構造によれば、取付金具には、取付穴の周縁に当接するフランジ片と、被着体側へ螺着するための螺子挿通穴が穿設され、この螺子挿通穴の近傍には、機器側に膨出し、フランジ片と螺子挿通穴との間の螺子締め付け応力を吸収する凸部が形成されたので、螺子挿通穴に螺子が挿通されて、被着体側へ取付金具が締め付け固定されると、螺子頭部が当接する螺子挿通穴の周縁と、取付穴の周縁に当接するフランジ片との間の取付金具に、締め付け力に伴う応力が発生し、フランジ片に応力が加わり、構造的に強度の小さいフランジ片に集中しようとするが、その応力が螺子挿通穴の周囲に膨出形成した凸部の変形によって吸収され、応力集中によるフランジ片の変形が防止される。すなわち、凸部によって螺子挿通穴の位置からフランジ片までの距離を延長しており、この凸部が変形することによって、フランジ片が変形してしまうことによる機器の掛着が不完全となったり、不能となったりすることを防止できる。また、面と同一平面となる連続平坦部を有していることで、螺子挿通穴の周縁に対する変形を起こさなくなる。
【００１０】
請求項２記載の取付金具の固定構造によれば、凸部が分断部を有して螺子挿通穴を包囲して略Ｃ字形状に形成されたので、換言すれば、螺子頭部の当接する螺子挿通穴の周縁部分が、分断部を介して他の取付金具の面と同一平面となった連続平坦部となり、しかもこの連続平坦部は螺子挿通穴からフランジ片の方向とは逆の方向に位置して形成される。したがって、この連続平坦部が無い場合に比べて、螺子頭部からの締め付け力が加わったときの凸部での変形を生じ易くし、応力をより吸収し易くさせることができる。
【発明を実施するための最良の形態】
【００１１】
以下、本発明に係る取付金具の固定構造の好適な実施の形態を図面を参照して詳細に説明する。
図１は本発明に係る取付金具の固定構造が採用された出入管理用受信機の概略構成を示す分解斜視図、図２は本発明に係る取付金具の固定構造が採用された出入管理用受信機の部品構成の詳細を示す分解斜視図、図３（ａ）は出入管理用受信機を図１のＡ−Ａ線で切断した際の断面図、図３（ｂ）は出入管理用受信機を図１のＢ−Ｂ線で切断した際の断面図、図４は取付金具の拡大斜視図、図５は取付金具の正面図、図６は取付金具を図５のＣ−Ｃ線で切断した際の断面図である。
本実施の形態による取付金具の固定構造は、防火扉の表裏面に一体となって取り付けられる出入管理用受信機に採用される場合を例に説明する。なお、本発明に係る取付金具の固定構造は、被着体へ機器が直接固定できない場合、被着体に取付金具を取付け、この取付金具に対して機器を間接的に取り付けるその他機器類の取付構造であっても好適に適用できるものである。
【００１２】
機器である出入管理用受信機は、建物内への不審者の不正侵入を防止するための出入管理システムに用いられ、送信機から送信される特定のパスワードやＩＤなどの施解錠情報を受信するための受信機である。そして、本例では、建物内に設置した防火扉（被着体）における室外、室内の表裏面側にそれぞれ室外側受信機と室内側受信機とを対向して配設し、火災発生時の炎の熱を利用して受信機の可燃部分のみを脱落させ、受信機からの発火を未然に防止することができる出入管理用受信機を提供している。
【００１３】
まず、出入管理用受信機について図１〜図３を参照しながら説明する。図１に示すように、出入管理用受信機１は、室外用の室外側受信機１１と室内用の室内側受信機２１とで大略構成され、建物内に設置した防火扉１００の所定箇所に形成された受信機設置用の貫通穴（取付穴）１００ａに対し、取付金具３１を介して室外側受信機１１と室内側受信機２１とがそれぞれ対面して対向配設される。また、室外側受信機１１と室内側受信機２１との間は、各種信号の送受信を行うための接続ケーブル４１を介して受信機同士が電気的に接続される。さらに、室外側受信機１１は、制御盤用ケーブル４２と電気錠用ケーブル４３を具備し、これらケーブル４２，４３が不図示の電気錠制御盤と電気錠とにそれぞれコネクタ接続される。
【００１４】
次に、出入管理用受信機１（１１，２１）の各構成について図２及び図３を参照しながら詳細に説明する。
【００１５】
まず、室外側受信機１１について説明する。図２や図３（ａ）に示すように、室外側受信機１１は、底部をなす室外側裏板１２と、室外側制御基板１３と、室外側アンテナホルダー１４と、室外側パッキン１５と、室外側べース板１６と、室外側カバー１７とで概略構成される。なお、室外側べース板１６側には、本体側部品として、室外側制御基板１３、室外側アンテナホルダー１４、室外側パッキン１５、室外側カバー１７が所定位置に設けられる。
【００１６】
室外側裏板１２は、例えばＳＰＣＣなどの金属板を用いて矩形の箱型形状に形成されている。室外側裏板１２の開口部分の周囲には所定幅の鍔が形成されている。鍔の四隅部分には、後述する室外側パッキン１５と室外側べース板１６とを固定するための合成樹脂螺子５１が螺合される取付穴１２ａが形成されている。また、室外側裏板１２の上下２箇所には、防火扉１００の板厚に応じた長さの取付柱（スペーサ部材）７１を挿入保持するための取付穴１２ｂが形成されている。さらに、図２に示すように、室外側裏板１２において、底部の中心から所定距離上方にずらした位置には、接続ケーブル４１を挿通させるための挿通口１２ｃが形成されている。この挿通口１２ｃは、後述する取付金具３１に対して室外側裏板１２と室内側裏板２２とを固定した際に、室内側裏板２２の挿通口２２ｃと開口部分が一致しないように互い違いに形成される。
【００１７】
回路基板としての室外側制御基板１３は、所定の配線が施されたプリント基板で構成され、例えばＣＰＵやＲＯＭ，ＲＡＭなどのマイクロコンピュータなどの電子部品を実装している。また、室外側制御基板１３は、防火扉１００の扉面に対して略平行になるように配置され、各部と接続する各種ケーブルのコネクタとプリント配線との接続部分が、スルーホールにＩＣピンを差し込むＤＩＰタイプではなく、プリント配線とコネクタとが直接半田付けされた面実装タイプとなっている。これにより、火災時に発生した炎の熱で接続部分の半田が溶けるため、コネクタが室外側制御基板１３に引っかかることなく脱落するようになる。また、室外側制御基板１３は、後述する室外側アンテナホルダー１４が装着できるように、図中鉛直方向における基板１３の上下部分にそれぞれ係合凹部１３ｄが形成されている。
【００１８】
室外側アンテナホルダー１４は、例えばＡＢＳなどの熱可塑性樹脂で形成され、外部から操作される送信機８１からの施解錠信号を受信するため、例えば銅線などのアンテナ材（図示せず）が巻回部（図示せず）に沿って捲着されている。また、室外側アンテナホルダー１４には、室外側制御基板１３に装着するため、図２中鉛直方向における上下部分に室外側制御基板１３の係合凹部１３ｄと係合するための鉤形形状を有する係合爪１４ｆが設けられている。さらに、室外側アンテナホルダー１４には、室外側制御基板１３の耐側端部を複数箇所（図２の例では左右２箇所ずつ）で係止するための係止爪１４ｋが設けられている。また、室外側アンテナホルダー１４は、室外側制御基板１３に実装されている電子部品との接触を防止するため、電子部品の実装状態に応じて所定箇所が肉抜きされた形状となっている。そして、火災が発生した場合に、巻回部に捲着されたアンテナ材が炎の熱によって加熱されることで、室外側制御基板１３に徐々に熱を伝え、この室外側制御基板１３と接続ケーブル４１との間の半田を通常よりも早く溶解させる役目を担っている。
【００１９】
室外側パッキン１５は、例えばシリコンゴムなどの柔軟性と防水性に富んだ材質からなり、後述する室外側べース板１６と嵌合するように形成され、室外側制御基板１３に実装された電子部品や室外側アンテナホルダー１４を雨や外部からの衝撃などから保護している。また、室外側パッキン１５の四隅部分には、室外側裏板１２と後述する室外側べース板１６とを合成樹脂螺子５１で固定するための取付穴１５ａが形成されている。
【００２０】
室外側べース板１６は、例えばＡＡＳなどの耐侯性・耐衝撃性を有する合成樹脂で形成され、室外側制御基板１３、室外側アンテナホルダー１４、室外側パッキン１５などの各部品を衝撃などから保護している。また、室外側べース板１６の四隅部分には、室外側裏板１２、室外側パッキン１５と同様に合成樹脂螺子５１が螺合される取付穴１６ａが形成されている。
【００２１】
室外側カバー１７は、例えばポリカーボネートなどの耐衝撃性・耐熱性に優れた合成樹脂で形成され、合成樹脂螺子５１で係止された室外側裏板１２、室外側パッキン１５、室外側べース板１６を冠着して保護している。
【００２２】
次に、室内側受信機２１について説明する。室内側受信機２１は、図３（ａ）に示すように、室内側裏板２２と、室内側制御基板２３と、室内側アンテナホルダー２４と、室内側パッキン２５と、室内側べース板２６と、室内側カバー２７とで概略構成される。なお、室内側べース板２６側には、本体側部品として、室内側制御基板２３、室内側アンテナホルダー２４、室内側パッキン２５、室内側カバー２７が所定位置に設けられる。
【００２３】
室内側裏板２２は、例えばＳＰＣＣなどの金属板を用いて矩形の箱型形状に形成されている。室内側裏板２２の開口部分の周囲には所定幅の鍔が形成されている。鍔の四隅部分には、後述する室内側パッキン２５と室内側べース板２６とを固定するための合成樹脂螺子５１が螺合される取付穴２２ａが形成されている。また、図１や図３（ａ）に示すように、室内側裏板２２には、後述する取付金具３１に金属螺子６１で固定するための取付穴２２ｇが下方中央位置に形成されているとともに、取付金具３１に形成された凸状の引掛爪３１ｈと係合するための係合穴２２ｉが上方左右２箇所の位置に形成されている。さらに、図１に示すように、室内側裏板２２の底部の中心から所定距離下方にずらした位置には、接続ケーブル４１を挿通させるための挿通口２２ｃが形成されている。
【００２４】
なお、この室内側裏板２２の挿通口２２ｃは、取付金具３１に対して室外側裏板１２及び室内側裏板２２を固定した際に、室外側裏板１２の挿通口１２ｃに対して相対的にずれて互い違いになる位置、すなわち開口部分が一致しない位置に形成されていれば良い。したがって、室外側裏板１２の挿通口１２ｃと室内側裏板２２の挿通口２２ｃとは、図示のように、特に上下方向に入れ違って形成されたものに限定されず、互いの開口部分が一致しないように例えば斜め方向にずれた位置や左右方向にずれた位置に形成しても良い。
【００２５】
回路基板としての室内側制御基板２３は、所定の配線が施されたプリント基板で構成され、例えばＣＰＵやＲＯＭ，ＲＡＭなどのマイクロコンピュータなどの電子部品を実装している。また、室内側制御基板２３は、防火扉１００の扉面に対して略平行になるように配置され、各部と接続する各種ケーブルのコネクタとブリント配線との接続部分が、室外側制御基板１３と同様に、スルーホールにＩＣピンを差し込むＤＩＰタイプではなく、プリント配線とコネクタとが直接半田付けされた面実装タイブとなっている。これにより、火災時に発生した炎の熱で接続部分の半田が溶けるため、コネクタが室内側制御基板２３に引っかかることなく脱落するようになる。また、室内側制御基板２３は、後述する室内側アンテナホルダー２４が装着できるように、図中鉛直方向における基板２３の上下部分にそれぞれ係合凹部２３ｄが形成されている。
【００２６】
室内側アンテナホルダー２４は、例えばＡＢＳなどの熱可塑性樹脂で形成され、外部から操作される送信機８１からの施解錠信号を受信するため、例えば銅線などのアンテナ材（図示せず）が室外側アンテナホルダー１４と同様の巻回部に沿って捲着されている。また、室内側アンテナホルダー２４には、室内側制御基板２３に装着するため、図３（ａ）中鉛直方向における上下部分に室内側制御基板２３の係合凹部２３ｄと係合するための鉤形形状を有する係合爪２４ｆが設けられている。また、室外側アンテナホルダー１４と同様に、室内側制御基板２３の両側端部を複数箇所で係止するための係止爪２４ｋが設けられている。さらに、室内側アンテナホルダー２４は、室内側制御基板２３に実装されている電子部品との接触を防止するため、電子部品の実装状態に応じて所定箇所が肉抜きされた形状になっている。そして、火災が発生した場合に、巻回部に捲着されたアンテナ材が炎の熱によって加熱されることで、室内側制御基板２３に徐々に熱を伝え、この室内側制御基板２３と接続ケーブル４１との間の半田を通常よりも早く溶解させる役目を担っている。
【００２７】
室内側パッキン２５は、例えばシリコンゴムなどの柔軟性と防水性に富んだ材質からなり、後述する室内側べース板２６と嵌合するように形成され、室内側制御基板２３に実装された電子部品や室内側アンテナホルダー２４に対する外部からの衝撃などから保護している。また、室内側パッキン２５の四隅部分には、室内側裏板２２と後述する室内側べース板２６とを合成樹脂螺子５１で固定するための不図示の取付穴が形成されている。
【００２８】
室内側べース板２６は、例えばＡＡＳなどの耐候性・耐衝撃性を有する合成樹脂で形成され、室内側制御基板２３、室内側アンテナホルダー２４、室内側パッキン２５などの各部品を衝撃などから保護している。また、室内側べース板２６の四隅部分には、室内側裏板２２、室内側パッキン２５と同様に合成樹脂螺子５１で固定するための不図示の取付穴が形成されている。
【００２９】
室内側カバー２７は、例えばポリカーボネートなどの耐衝撃性・耐熱性に優れた合成樹脂で形成され、合成樹脂螺子５１で係止された室内側裏板２２、室内側パッキン２５、室内側べース板２６を冠着して保護している。
【００３０】
次に、取付金具３１について説明する。取付金具３１は、例えばＳＰＣＣなどの金属板で形成され、上述した室外側受信機１１を取付柱７１を介して固定するための螺子挿通穴３１ｇが所定箇所（図１では上下２箇所）に形成されている。この取付金具３１には、室外側受信機１１と室内側受信機２１の各々の接続ケーブル４１同士を接続端子を介して接続するための挿通口３１ｃが室内側裏板２２の挿通口２２ｃの位置に合せて形成されている。また、取付金具３１には、室内側裏板２２に形成された係合穴２２ｉと係合するための引掛爪３１ｈが上端部の左右２箇所に形成されているとともに、室内側裏板２２と金属螺子６１で固定するための取付穴３１ｊ（図２参照）が下端部中央に形成されている。
【００３１】
図４、図５に示すように、一対の引掛爪３１ｈ、３１ｈの間にはフランジ片３１ｋが形成され、フランジ片３１ｋは図６に示すように、引掛爪３１ｈより後方側（防火扉に近接側）に配置される。取付金具３１は、室外側裏板１２の取付穴１２ｂに挿入された取付柱７１に、螺子挿通穴３１ｇに挿通された金属螺子６１が螺合されることで、取付穴１００ａに固定される。この際、フランジ片３１ｋが取付穴１００ａの周縁１００ｂに先に当接することで、取付け完了状態では、引掛爪３１ｈが図６に示すように、フランジ片３１ｋの前方に配置された状態となる。このように、引掛爪３１ｈがフランジ片３１ｋの前方に配置されることで、室内側受信機２１の掛着が可能となっている。
【００３２】
ところで、螺子挿通穴３１ｇの近傍には、基板部の面３１ｍを室内側受信機２１側に膨出させた凸部９１が形成されている。本実施の形態において、凸部９１は、螺子挿通穴３１ｇを挟む上下一対の膨出部９１ａ，９１ｂからなる。この凸部９１は、例えばプレス機による絞り加工にて膨出形成される。この凸部９１は、フランジ片３１ｋと螺子挿通穴３１ｇとの間の螺子締め付け応力を吸収するよう働く。
【００３３】
また、凸部９１は、少なくとも一つの分断部、本実施の形態では二つの分断部９３ａ，９３ｂを有して螺子挿通穴３１ｇを包囲して形成されている。すなわち、螺子頭部の当接する螺子挿通穴３１ｇの周縁３１ｐ部分は、分断部９３ａ，９３ｂを介して他の取付金具３１の基板面３１ｍと同一平面となった連続平坦部となる。これにより、螺子挿通穴３１ｇが連続した凸部、例えば螺子挿通穴３１ｇを包囲する円環状の凸部によって包囲される場合に比べ、すなわち、連続平坦部が無い場合に比べ、面３１ｍに対する変形を起こさない部分を備え、かつ、螺子頭部からの締め付け力が加わったときの凸部９１での変形が生じ易くなる。
【００３４】
なお、本例では、取付金具３１と取付柱７１とを別体構成として説明しているたが、取付柱７１と取付金具３１とを一体に構成しても良い。
【００３５】
また、本例において、取付金具３１には、取り付けの手間を考慮して、室内側裏板２２の挿通口２２ｃの位置に合わせて挿通口２２ｃとほぼ同等の挿通口３１ｃが形成されているが、取付金具３１と室内側裏板２２との間に接続ケーブル４１を導出するための空間を確保でき、裏板１２，２２の挿通口１２ｃ，２２ｃ間で接続ケーブル４１を導出できれば、取付金具３１に形成される挿通口３１ｃの形状や位置は限定されるものではない。
【００３６】
そして、上記のように構成される出入管用受信機１を防火扉１００に配設する場合には、まず、室外側受信機１１を作製するため、室外側制御基板１３に室外側アンテナホルダー１４を係合する。次に、室外側べース板１６に室外側パッキン１５を嵌合し、室外側制御基板１３と室外側アンテナホルダー１４を係合したものを室外側べ一ス板１６の所定位置に重ね合わせる。その後、室外側裏板１２の取付穴１２ａから合成樹脂螺子５１を螺入して室外側裏板１２、室外側パッキン１５、室外側べース板１６を係止して固定する。そして、室外側べース板１６側から室外側カバー１７を冠着して室外側受信機１１を完成させる。
【００３７】
次に、室外側裏板１２の挿通口１２ｃから接続ケーブル４１を挿通した後、室外側裏板１２の取付穴１２ｂに取付柱７１を挿入し、この取付柱７１から金属螺子６１によって室外側裏板１２を取付金具３１と係止して防火扉１００に配設する。このとき、室外側制御基板１３に接続された制御盤用ケーブル４２と電気錠用ケーブル４３を不図示の電気錠制御盤と電気錠にそれぞれ接続する。
【００３８】
次に、室内側受信機２１を作製するため、まず室内側制御基板２３に室内側アンテナホルダー２４を係合する。次に、室内側べース板２６に室内側パッキン２５を嵌合し、室内側制御基板２３と室内側アンテナホルダー２４を係合したものを室内側べース板２６の所定位置に重ね合わせる。その後、室内側裏板２２の取付穴２２ａから合成樹脂螺子５１を螺入して室内側裏板２２、室内側パッキン２５、室内側べース板２６を係止して固定する。そして、室内側べース板２６側から室内側カバー２７を冠着して室内側受信機２１を完成させる。このとき、室内側裏板２２の挿通口２２ｃから接続ケーブル４１を挿通しておく。
【００３９】
そして、室外側受信機１１と室内側受信機２１からそれぞれ導出した接続ケーブル４１同士を接続する。ケーブル接続した後、室内側裏板２２に形成された係合穴２２ｉに取付金具３１の引掛爪３１ｈを引掛け、室内側裏板２２の取付穴２２ｇを介して金属螺子６１で取付金具３１に係止して固定することにより、出入管理用受信機１（１１，２１）の配設が終了する。
【００４０】
このように、上述した出入管理用受信機１（１１，２１）では、特定の施解錠情報を受信するために、防火扉１００の所定箇所に開口形成された貫通穴１００ａを介して防火扉１００の内外に室外側受信機１１と室内側受信機１２とが配設される。そして、火災により発火しやすい少なくとも制御基板１３，２３を含む本体側部品（アンテナホルダー１４，２４、パッキン１５，２５、カバー１７，２７）が個々に取り付けられる室外側べース板１６及び室内側べース板２６が、各々自身の裏板１２，２２に対して熱可塑性の合成樹脂螺子５１によって固定されているので、火災発生時に、早い段階で合成樹脂螺子５１が溶融し、裏板１２，２２に対するべース板１６，２６の固定が断たれ、べース板１６，２６が自重で脱落し、べース板１６，２６の発火が未然に防止される。
【００４１】
そして、この取付金具の固定構造では、螺子挿通穴３１ｇに金属螺子６１が挿通されて、防火扉１００側へ取付金具３１が締め付け固定されると、螺子頭部が当接する螺子挿通穴３１ｇの周縁３１ｐと、取付穴１００ａの周縁１００ｂに当接するフランジ片３１ｋとの間の取付金具３１に、締め付け力に伴う応力が発生する。この応力は、構造的に強度の小さいフランジ片３１ｋに集中しようとするが、その前に凸部９１の変形によって吸収され、その結果、フランジ片３１ｋの応力集中による変形が防止されることになる。
【００４２】
したがって、本実施の形態による取付金具の固定構造によれば、取付金具３１には、取付穴１００ａの周縁１００ｂに当接するフランジ片３１ｋと、防火扉１００側へ螺着するための螺子挿通穴３１ｇが穿設され、この螺子挿通穴３１ｇの近傍には、室内側受信機２１側に膨出し、フランジ片３１ｋと螺子挿通穴３１ｇとの間の螺子締め付け応力を吸収する凸部９１が形成されたので、螺子挿通穴３１ｇに金属螺子６１が挿通されて、取付金具３１が締め付け固定されると、螺子頭部が当接する螺子挿通穴３１ｇの周縁３１ｐと、取付穴１００ａの周縁１００ｂに当接するフランジ片３１ｋとの間の取付金具３１に、締め付け力に伴う応力が発生し、フランジ片３１ｋに応力が加わるが、その応力が凸部９１の変形によって吸収され、応力集中によるフランジ片３１ｋの変形が防止される。別言すると、螺子挿通穴３１ｇの位置からフランジ片３１ｋまでの距離を、平坦ではない凸部９１により延長することとなり、この結果、フランジ片３１ｋが引掛爪３１ｈに接近する方向に変形して、室内側受信機２１の掛着が不完全となったり、不能となったりすることを防止できる。
【００４３】
また、フランジ片３１ｋが変形しないので、フランジ片３１ｋと引掛爪３１ｈとの間隔が高精度に確保され、室内側受信機２１の取付け精度が向上するとともに、取付け後の脱落も生じにくくなる。
【００４４】
次に、本発明に係る取付金具の固定構造の他の実施の形態を説明する。
図７は他の実施の形態に係る取付金具の固定構造が採用された出入管理用受信機の概略構成を示す分解斜視図、図８は他の実施の形態に係る取付金具の固定構造が採用された出入管理用受信機の部品構成の詳細を示す分解斜視図、図９（ａ）は出入管理用受信機を図７のＤ−Ｄ線で切断した際の断面図、図９（ｂ）は出入管理用受信機を図７のＥ−Ｅ線で切断した際の断面図、図１０は他の実施の形態に係る取付金具の拡大斜視図、図１１は他の実施の形態に係る取付金具の正面図、図１２は他の実施の形態に係る取付金具を図１１のＦ−Ｆ線で切断した際の断面図である。なお、図１〜図６に示した部材と同一の部材には同一の符号を付し、重複する説明は省略するものとする。
この実施の形態による取付金具の固定構造は、図７、図８、図９に示すように、上記の実施の形態と同様に、基本的に室外側受信機１１と、室内側受信機２１とが防火扉１００の取付穴１００ａに取り付けられる。
【００４５】
一方、室内側受信機２１の掛着する取付金具３１Ａは、上記の実施の形態と異なる。すなわち、図１０、図１１、図１２に示すように、凸部９１Ａは、一つの分断部９３ｃを有して螺子挿通穴３１ｇを包囲して形成されている。本実施の形態において、凸部９１Ａは、螺子挿通穴３１ｇを囲む略Ｃ字形状の膨出部９１ｃからなり、両螺子挿通穴３１ｇ間を結ぶ仮想線上に分断部９３ｃが位置した構造とされる。そして、この凸部９１Ａは、フランジ片３１ｋと螺子挿通穴３１ｇとの間の螺子締め付け応力を吸収するよう働く。
【００４６】
螺子頭部の当接する螺子挿通穴３１ｇの周縁３１ｐ部分は、分断部９３ｃを介して他の取付金具３１の基板面３１ｍと同一平面となった連続平坦部となる。これにより、螺子挿通穴３１ｇが連続した凸部、例えば螺子挿通穴３１ｇを包囲する円環状の凸部によって包囲される場合に比べ、すなわち、連続平坦部が無い場合に比べ、螺子頭部からの締め付け力が加わったときの凸部９１Ａでの変形が生じ易くなる。
【００４７】
したがって、この取付金具の固定構造によれば、凸部９１Ａが、一つの分断部９３ｃを有して螺子挿通穴３１ｇを包囲して形成されたので、換言すれば、螺子頭部の当接する螺子挿通穴３１ｇの周縁３１ｐ部分が、分断部９３ｃを介して他の取付金具３１の基板面３１ｍと同一平面となった連続平坦部となる。したがって、この連続平坦部が無い場合に比べて、螺子頭部からの締め付け力が加わったときの凸部９１Ａでの変形を生じ易くし、応力をより吸収し易くさせることができる。別言すると、螺子挿通穴３１ｇの位置からフランジ片３１ｋまでの距離を、平坦ではない凸部９１Ａにより延長することとなり、その間が変形を許容することとなって、かつ、螺子挿通穴３１ｇ間は平坦な変形を起こさない部分とされて、この結果、フランジ片３１ｋが引掛爪３１ｈに接近する方向に変形して、室内側受信機２１の掛着が不完全となったり、不能となったりすることを防止できる。
【図面の簡単な説明】
【００４８】
【図１】本発明に係る取付金具の固定構造が採用された出入管理用受信機の概略構成を示す分解斜視図である。
【図２】本発明に係る取付金具の固定構造が採用された出入管理用受信機の部品構成の詳細を示す分解斜視図である。
【図３】（ａ）は出入管理用受信機を図１のＡ−Ａ線で切断した際の断面図、（ｂ）は出入管理用受信機を図１のＢ−Ｂ線で切断した際の断面図である。
【図４】取付金具の拡大斜視図である。
【図５】取付金具の正面図である。
【図６】取付金具を図５のＣ−Ｃ線で切断した際の断面図である。
【図７】他の実施の形態に係る取付金具の固定構造が採用された出入管理用受信機の概略構成を示す分解斜視図である。
【図８】他の実施の形態に係る取付金具の固定構造が採用された出入管理用受信機の部品構成の詳細を示す分解斜視図である。
【図９】（ａ）は出入管理用受信機を図７のＤ−Ｄ線で切断した際の断面図、（ｂ）は出入管理用受信機を図７のＥ−Ｅ線で切断した際の断面図である。
【図１０】他の実施の形態に係る取付金具の拡大斜視図である。
【図１１】他の実施の形態に係る取付金具の正面図である。
【図１２】他の実施の形態に係る取付金具を図１１のＦ−Ｆ線で切断した際の断面図である。
【符号の説明】
【００４９】
１…機器（出入管理用受信機）
１１…機器（室外側受信機）
２１…機器（室内側受信機）
３１…取付金具
３１ｈ…引掛爪
３１ｋ…フランジ片
３１ｇ…螺子挿通穴
９１，９１Ａ…凸部
９３ａ，９３ｂ，９３ｃ…分断部
１００…被着体（防火扉）
１００ａ…取付穴
１００ｂ…取付穴の周縁
【図１】
0004686327.tif 000002
【図２】
0004686327.tif 000003
【図３】
0004686327.tif 000004
【図４】
0004686327.tif 000005
【図５】
0004686327.tif 000006
【図６】
0004686327.tif 000007
【図７】
0004686327.tif 000008
【図８】
0004686327.tif 000009
【図９】
0004686327.tif 000010
【図１０】
0004686327.tif 000011
【図１１】
0004686327.tif 000012
【図１２】
0004686327.tif 000013